(57)【要約】【課題】熱変色性インキによる複数種類の筆跡を１本の筆記具で得ることができる熱変色性筆記具を提供する。【解決手段】本発明は、第１の筆記体２と、第２の筆記体３と、キャップ５とからなる。第１の筆記体２は、前端に第１のペン先２１を有し且つ内部に第１の熱変色性インキ２２が収容される。第２の筆記体３は、前端に第２のペン先３１を有し且つ内部に第２の熱変色性インキ３２が収容される。キャップ５は、第１の筆記体２の第１のペン先２１側に装着される。第１の筆記体２の後部に、第２の筆記体３の第２のペン先３１側に装着可能なキャップ部２３を設ける。キャップ５の頂部に摩擦部５１を設ける。第１の熱変色性インキ２２による筆跡及び第２の熱変色性インキ３２による筆跡の各々を、摩擦部５１によって摩擦し、その際に生じる摩擦熱で前記筆跡の各々が熱変色可能である。【選択図】  図１
2008296413.tif 000002
【特許請求の範囲】
【請求項１】
前端に第１のペン先を有し且つ内部に第１の熱変色性インキが収容された第１の筆記体と、前端に第２のペン先を有し且つ内部に第２の熱変色性インキが収容された第２の筆記体と、前記第１の筆記体の第１のペン先側に装着可能なキャップとからなり、
前記第１の筆記体の後部に、第２の筆記体の第２のペン先側に装着可能なキャップ部を設け、
前記キャップの頂部に摩擦部を設け、前記第１の熱変色性インキによる筆跡及び前記第２の熱変色性インキによる筆跡の各々を、前記摩擦部によって摩擦し、その際に生じる摩擦熱で前記筆跡の各々が熱変色可能であることを特徴とする熱変色性筆記具。
【請求項２】
前端に第３のペン先を有し且つ内部に第３の熱変色性インキが収容された第３の筆記体を備え、前記第２の筆記体の後部に、第３の筆記体のペン先側に装着可能なキャップ部を設けた請求項１記載の熱変色性筆記具。
【請求項３】
前記第２の筆記体の後端に第３のペン先を設け、第１の筆記体の第１のペン先側に装着可能なキャップを第１のキャップとし、前記第２の筆記体の第３のペン先側に装着可能な第２のキャップを備えた請求項１記載の熱変色性筆記具。
【請求項４】
前端に第１のペン先を有し且つ内部に第１の熱変色性インキが収容された第１の筆記体と、前記第１の筆記体の第１のペン先側に装着可能な第１のキャップと、前端に第２のペン先を有し且つ内部に第２の熱変色性インキが収容された第２の筆記体と、前記第２の筆記体の第２のペン先側に装着可能な第２のキャップとからなり、
前記第１の筆記体の後部に、第２のキャップの頂部に装着可能なキャップ部を設け、
第１のキャップの頂部に摩擦部を設け、前記第１の熱変色性インキによる筆跡及び前記第２の熱変色性インキによる筆跡の各々を、前記摩擦部によって摩擦し、その際に生じる摩擦熱で前記筆跡の各々が熱変色可能であることを特徴とする熱変色性筆記具。
【請求項５】
前記第１の熱変色性インキの発色状態の色と、前記第２の熱変色性インキの発色状態の色とが異なる請求項１乃至４のいずれかに記載の熱変色性筆記具。
【請求項６】
前記第１の熱変色性インキの発色状態の色と、前記第２の熱変色性インキの発色状態の色と、前記第３の熱変色性インキの発色状態の色とが異なる請求項２記載の熱変色性筆記具。
【請求項７】
前記第１の熱変色性インキ及び前記第２の熱変色性インキの各々の、摩擦部の摩擦熱による変色温度を２５℃〜９５℃に設定した請求項１乃至６のいずれかに記載の熱変色性筆記具。
【請求項８】
前記第１の熱変色性インキ、前記第２の熱変色性インキ及び前記第３の熱変色性インキの各々の、摩擦部の摩擦熱による変色温度を２５℃〜９５℃に設定した請求項２または６記載の熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴の後端に設ける構成が記載されている。
【０００３】
【特許文献１】特開２００４−１４８７４４号公報
【発明の開示】
【発明が解決しようとする課題】
【０００４】
前記従来の熱変色性筆記具は、１本の筆記具から１種類の筆跡しか得られない。そのため、複数種類の筆跡（例えばペン先種類やインキ色の異なる筆跡）を得るには複数本の筆記具が必要となり、用意する筆記具の総本数が増加し、携帯や保管に不便となる。
【０００５】
本発明は、前記従来の問題点を解決するものであって、熱変色性インキによる複数種類の筆跡を１本の筆記具で得ることができる熱変色性筆記具を提供しようとするものである。
【課題を解決するための手段】
【０００６】
本願の第１の発明は、前端に第１のペン先２１を有し且つ内部に第１の熱変色性インキ２２が収容された第１の筆記体２と、前端に第２のペン先３１を有し且つ内部に第２の熱変色性インキ３２が収容された第２の筆記体３と、前記第１の筆記体２の第１のペン先２１側に装着可能なキャップ５,６とからなり、前記第１の筆記体２の後部に、第２の筆記体３の第２のペン先３１側に装着可能なキャップ部２３を設け、前記キャップ５,６の頂部に摩擦部５１を設け、前記第１の熱変色性インキ２２による筆跡及び前記第２の熱変色性インキ３２による筆跡の各々を、前記摩擦部５１によって摩擦し、その際に生じる摩擦熱で前記筆跡の各々が熱変色可能であることを要件とする（図１、図２参照）。
【０００７】
前記第１の発明の熱変色性筆記具１は、熱変色性インキによる、少なくとも２種類の筆跡を１本の筆記具で得ることができる。また、前記第１の発明の熱変色性筆記具１は、第１のペン先２１による第１の熱変色性インキ２２の筆跡及び第２のペン先３１による第２の熱変色性インキ３２の筆跡の各々が、摩擦部５１によって熱変色可能であるため、第１の熱変色性インキ２２の筆跡と第２の熱変色性インキ３２の筆跡（即ち２種類の筆跡）を、摩擦部５１によって一度に熱変色させることができる。
【０００８】
本願の第２の発明は、前記第１の発明において、前端に第３のペン先４１を有し且つ内部に第３の熱変色性インキ４２が収容された第３の筆記体４を備え、前記第２の筆記体３の後部に、第３の筆記体４の第３のペン先４１側に装着可能なキャップ部３３を設けたことを要件とする（図１参照）。
【０００９】
前記第２の発明の熱変色性筆記具１は、熱変色性インキによる、少なくとも３種類の筆跡を１本の筆記具で得ることができる。また、前記第２の発明の熱変色性筆記具１は、第１のペン先２１による第１の熱変色性インキ２２の筆跡、第２のペン先３１による第２の熱変色性インキ３２の筆跡、及び第３のペン先４１による第３の熱変色性インキ４２の筆跡の各々が、摩擦部５１によって熱変色可能であるため、第１の熱変色性インキ２２の筆跡、第２の熱変色性インキ３２の筆跡、及び第３の熱変色性インキ４２の筆跡（即ち３種類の筆跡）を、摩擦部５１によって一度に熱変色させることができる。
【００１０】
本願の第３の発明は、前記第１の発明において、前記第２の筆記体３の後端に第３のペン先３４を設け、第１の筆記体２の第１のペン先２１側に装着可能なキャップを第１のキャップ６とし、前記第２の筆記体３の第３のペン先３４側に装着可能な第２のキャップ７を備えたことを要件とする（図２参照）。
【００１１】
前記第３の発明の熱変色性筆記具１は、熱変色性インキによる、少なくとも３種類の筆跡を１本の筆記具で得ることができる。
【００１２】
本願の第４の発明は、前端に第１のペン先２１を有し且つ内部に第１の熱変色性インキ２２が収容された第１の筆記体２と、前記第１の筆記体２の第１のペン先２１側に装着可能な第１のキャップ６と、前端に第２のペン先３１を有し且つ内部に第２の熱変色性インキ３２が収容された第２の筆記体３と、前記第２の筆記体３の第２のペン先３１側に装着可能な第２のキャップ７とからなり、前記第１の筆記体２の後部に、第２のキャップ７の頂部に装着可能なキャップ部３３を設け、第１のキャップ６の頂部に摩擦部６１を設け、前記第１の熱変色性インキ２２による筆跡及び前記第２の熱変色性インキ３２による筆跡の各々を、前記摩擦部６１によって摩擦し、その際に生じる摩擦熱で前記筆跡の各々が熱変色可能であることを要件とする（図３参照）。
【００１３】
前記第４の発明の熱変色性筆記具１は、熱変色性インキによる、少なくとも２種類の筆跡を１本の筆記具で得ることができる。また、前記第４の発明の熱変色性筆記具１は、第１のペン先２１による第１の熱変色性インキ２２の筆跡及び第２のペン先３１による第２の熱変色性インキ３２の筆跡の各々が、摩擦部６１によって熱変色可能であるため、第１の熱変色性インキ２２の筆跡と第２の熱変色性インキ３２の筆跡（即ち２種類の筆跡）を、摩擦部６１によって一度に熱変色させることができる。
【００１４】
本願の第５の発明は、第１乃至第４のいずれかの発明において、前記第１の熱変色性インキ２２の発色状態の色と、前記第２の熱変色性インキ３２の発色状態の色とが異なることを要件とする。
【００１５】
前記第５の発明の熱変色性筆記具１は、第１の熱変色性インキ２２と第２の熱変色性インキ３２による発色状態の色が異なる２種類の筆跡を、摩擦部６１の摩擦熱により一度に熱変色させることができる。また、前記第５の発明の熱変色性筆記具１は、第１の熱変色性インキ２２の筆跡と、第２の熱変色性インキ３２の筆跡が重なった状態での場合でも、異なる発色状態の色によって前記２種類の筆跡を識別できる。
【００１６】
本願の第６の発明は、前記第２の発明において、前記第１の熱変色性インキ２２の発色状態の色と、前記第２の熱変色性インキ３２の発色状態の色と、前記第３の熱変色性インキ４２の発色状態の色とが異なることを要件とする。
【００１７】
前記第６の発明の熱変色性筆記具１は、第１の熱変色性インキ２２、第２の熱変色性インキ３２及び第３の熱変色性インキ４２による発色状態の色が異なる３種類の筆跡を、摩擦部６１の摩擦熱により一度に熱変色させることができる。また、前記第６の発明の熱変色性筆記具１は、第１の熱変色性インキ２２の筆跡と、第２の熱変色性インキ３２の筆跡と、第３の熱変色性インキ４２の筆跡とが重なった状態での場合でも、異なる発色状態の色によって前記３種類の筆跡を識別できる。
【００１８】
本願の第７の発明は、前記第１乃至第６のいずれかの発明において、前記第１の熱変色性インキ２２及び前記第２の熱変色性インキ３２の各々の、摩擦部５１，６１の摩擦熱による変色温度を２５℃〜９５℃に設定したこと要件とする。
【００１９】
前記第７の発明の熱変色性筆記具１は、摩擦部５１，６１による摩擦熱によって、第１の熱変色性インキ２２と第２の熱変色性インキ３２とによる２種類の筆跡を、確実に、一度に熱変色させることができる。もし、第１の熱変色性インキ２２の変色温度と第２の熱変色性インキ３２の変色温度のいずれかが、前記温度範囲から外れている場合、２種類の筆跡を、摩擦部６１の摩擦熱で一度に熱変色できないおそれがある。
【００２０】
本願の第８の発明は、前記第２及び第６の発明において、前記第１の熱変色性インキ２２、前記第２の熱変色性インキ３２及び前記第３の熱変色性インキ４２の各々の、摩擦部５１，６１の摩擦熱による変色温度を２５℃〜９５℃に設定したことを要件とする。
【００２１】
前記第８の発明の熱変色性筆記具１は、摩擦部５１，６１による摩擦熱によって、第１の熱変色性インキ２２と第２の熱変色性インキ３２と第３の熱変色性インキ４２による３種類の筆跡を、確実に、一度に熱変色させることができる。もし、第１の熱変色性インキ２２の変色温度、第２の熱変色性インキ３２の変色温度、第３の熱変色性インキ４２の変色温度のいずれかが、前記温度範囲から外れている場合、３種類の筆跡を、摩擦部５１，６１の摩擦熱で一度に熱変色できないおそれがある。
【００２２】
尚、本発明の第１のペン先２１、第２のペン先３１、及び第３のペン先４１は、例えば、ボールペンチップ、多孔質ペン体、軸方向の毛細管通路を有する合成樹脂の押出成形よりなるペン体、先端にスリットを有する金属製板状ペン体、毛筆ペン体等、いずれであってもよい。前記ボールペンチップは、チップ本体の先端に回転可能にボールが抱持された構成である。また、前記ボールペンチップは、ボールをチップ本体内から前方に弾発体により付勢し、ボールをチップ本体のカシメ部（先端縁部）内面に圧接させる構成が有効である。前記多孔質ペン体は、例えば、繊維加工体または多孔質気泡体からなるペン体が挙げられる。前記多孔質ペン体は、先端部が、チゼル形状または砲弾形状に形成される。
【００２３】
筆記体内における熱変色性インキの収容手段としては、例えば、繊維加工体または多孔質気泡体からなるインキ吸蔵体に熱変色性インキを含浸させる中綿式、または、前記熱変色性インキを筆記体内のインキ収容空間に直接収容させる直液式等が挙げられる。前記直液式としては、例えば、インキ収容空間とペン先との間に、インキ収容空間の内圧変化に応じた溢出インキを一時的に保溜する部材を設けるタイプ、ペン先とインキ収容空間との間に、ペン先の後方への押圧により開口する弁装置を設けるタイプ、またはインキの後端に、インキの消費に伴って前進する追従体を設けるタイプ等が挙げられる。
【００２４】
・摩擦部
尚、本発明で、前記摩擦部は軟質材料からなることが好ましい。前記摩擦部を構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部を構成する軟質材料は、高摩耗性の弾性材料（例えば、消しゴム等）からなるものよりも、低摩耗性の弾性材料からなるものが、消しカスが生じない点で有効である。前記摩擦部は、キャップの頂部もしくは筆記体の後端に２色成形により一体に形成する構成、またはキャップもしくは筆記体と別部品からなる摩擦部を、キャップもしくは筆記体の後端に固着（例えば、嵌着、圧入、螺着、接着）する構成が挙げられる。尚、前記第１の発明において、摩擦部を、第２の筆記体３の後端に設けることもできる。
【００２５】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２６】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２７】
本発明では、図４に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図４において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２８】
本発明では、前記熱変色性インキの摩擦体の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる像または筆跡を摩擦体による摩擦熱で容易に変色することができる。
【００２９】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００３０】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００３１】
本発明は、熱変色性インキによる複数種類の筆跡を１本の筆記具で得ることができる。
【発明を実施するための最良の形態】
【００３２】
＜第１の実施の形態＞
本発明の熱変色性筆記具１の第１の実施の形態を図１に示す。
本実施の形態の熱変色性筆記具１は、第１の筆記体２と、第２の筆記体３と、第３の筆記体４と、キャップ５とからなる。
【００３３】
前記第１の筆記体２は、前端に第１のペン先２１が取り付けられ、内部に第１の熱変色性インキ２２が収容される。前記第１の熱変色性インキ２２が前記第１のペン先２１から吐出可能に構成される。前記第１の筆記体２の後部には、キャップ部２３が形成される。前記第１の筆記体２のキャップ部２３は、第２の筆記体３の第２のペン先３１側、及び第３の筆記体４の第３のペン先４１側に装着可能である。前記第１の筆記体２のキャップ部２３を第２の筆記体３の第２のペン先３１側に装着することにより、第２のペン先３１が密封される。前記第１の筆記体２のキャップ部２３を第３の筆記体４の第３のペン先４１側に装着することにより、第３のペン先４１が密封される。
【００３４】
前記第２の筆記体３は、前端に第２のペン先３１が取り付けられ、内部に第２の熱変色性インキ３２が収容される。前記第２の熱変色性インキ３２が前記第２のペン先３１から吐出可能に構成される。前記第２の筆記体３の後部には、キャップ部３３が形成される。前記第２の筆記体３のキャップ部３３は、第１の筆記体２の第１のペン先２１側、及び第３の筆記体４の第３のペン先４１側に装着可能である。前記第２の筆記体３のキャップ部３３を第１の筆記体２の第１のペン先２１側に装着することにより、第１のペン先２１が密封される。前記第２の筆記体３のキャップ部３３を第３の筆記体４の第３のペン先４１側に装着することにより、第３のペン先４１が密封される。
【００３５】
前記第３の筆記体４は、前端に第３のペン先４１が取り付けられ、内部に第３の熱変色性インキ４２が収容される。前記第３の熱変色性インキ４２が前記第３のペン先４１から吐出可能に構成される。前記第３の筆記体４の後部には、キャップ部４３が形成される。前記第３の筆記体４のキャップ部４３は、第１の筆記体２の第１のペン先２１側、及び第２の筆記体３の第２のペン先３１側に装着可能である。前記第３の筆記体４のキャップ部４３を第１の筆記体２の第１のペン先２１側に装着することにより、第１のペン先２１が密封される。前記第３の筆記体４のキャップ部４３を第２の筆記体３の第２のペン先３１側に装着することにより、第２のペン先３１が密封される。
【００３６】
前記キャップ５は、第１の筆記体２の第１のペン先２１側、第２の筆記体３の第２のペン先３１側、及び第３の筆記体４の第３のペン先４１側に装着可能である。前記キャップ５を第１の筆記体２の第１のペン先２１側に装着することにより、第１のペン先２１が密封される。前記キャップ５を第２の筆記体３の第２のペン先３１側に装着することにより、第２のペン先３１が密封される。前記キャップ５を第３の筆記体４の第３のペン先４１側に装着することにより、第３のペン先４１が密封される。
【００３７】
前記キャップ５の頂部には、軟質材料（例えば、ＳＢＳ樹脂、ＳＥＢＳ樹脂）よりなる摩擦部５１が取り付けられる。尚、前記摩擦部５１は、キャップ５と２色成形により一体に形成することもできる。
【００３８】
前記第１の熱変色性インキ２２、前記第２の熱変色性インキ３２及び前記第３の熱変色性インキ４２は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３９】
本実施の形態では、第１の筆記体２、第２の筆記体３、第３の筆記体４をキャップ部２３，３３，４３を介して連結し、第１の筆記体２の第１のペン先２１側、第２の筆記体３の第２のペン先３１側、または第３の筆記体４の第３のペン先４１側にキャップ５を装着した状態にする。それにより、１本の熱変色性筆記具１を構成できる。
【００４０】
＜第２の実施の形態＞
本発明の熱変色性筆記具１の第２の実施の形態を図２に示す。
本実施の形態の熱変色性筆記具１は、第１の筆記体２と、第２の筆記体３と、第１のキャップ６と、第２のキャップ７とからなる。
【００４１】
前記第１の筆記体２は、前端に第１のペン先２１が取り付けられ、内部に第１の熱変色性インキ２２が収容される。前記第１の熱変色性インキ２２が前記第１のペン先２１から吐出可能に構成される。前記第１の筆記体２の後部には、キャップ部２３が形成される。前記第１の筆記体２のキャップ部２３は、第２の筆記体３の第２のペン先３１側、及び第２の筆記体３の第３のペン先３４側に装着可能である。前記第１の筆記体２のキャップ部２３を第２の筆記体３の第２のペン先３１側に装着することにより、第２のペン先３１が密封される。前記第１の筆記体２のキャップ部２３を第２の筆記体３の第３のペン先３４側に装着することにより、第３のペン先３４が密封される。
【００４２】
前記第２の筆記体３は、前端に第２のペン先３１が取り付けられ、前部内部に第２の熱変色性インキ３２が収容されるとともに、後端に第３のペン先３４が取り付けられ、後部内部に第３の熱変色性インキ３５が収容される。前記第２の熱変色性インキ３２が前記第２のペン先３１から吐出可能に構成される。前記第３の熱変色性インキ３５が前記第３のペン先３４から吐出可能に構成される。
【００４３】
前記第１のキャップ６は、第１の筆記体２の第１のペン先２１側、第２の筆記体３の第２のペン先３１側、及び第２の筆記体３の第３のペン先３４側に装着可能である。前記第１のキャップ６を第１の筆記体２の第１のペン先２１側に装着することにより、第１のペン先２１が密封される。前記第１のキャップ６を第２の筆記体３の第２のペン先３１側に装着することにより、第２のペン先３１が密封される。前記第１のキャップ６を第２の筆記体３の第３のペン先３４側に装着することにより、第３のペン先３４が密封される。
【００４４】
前記第２のキャップ７は、第１の筆記体２の第１のペン先２１側、第２の筆記体３の第２のペン先３１側、及び第２の筆記体３の第３のペン先３４側に装着可能である。前記第２のキャップ７を第１の筆記体２の第１のペン先２１側に装着することにより、第１のペン先２１が密封される。前記第２のキャップ７を第２の筆記体３の第２のペン先３１側に装着することにより、第２のペン先３１が密封される。前記第２のキャップ７を第２の筆記体３の第３のペン先３４側に装着することにより、第３のペン先３４が密封される。
【００４５】
前記第１のキャップ６の頂部には、軟質材料（例えば、ＳＢＳ樹脂、ＳＥＢＳ樹脂）よりなる摩擦部６１が取り付けられる。尚、前記摩擦部６１は、第１のキャップ６と２色成形により一体に形成することもできる。
【００４６】
前記第２のキャップ７の頂部には、軟質材料（例えば、ＳＢＳ樹脂、ＳＥＢＳ樹脂）よりなる摩擦部７１が取り付けられる。尚、前記摩擦部７１は、第２のキャップ７と２色成形により一体に形成することもできる。
【００４７】
前記第１の熱変色性インキ２２、前記第２の熱変色性インキ３２及び前記第３の熱変色性インキ３５は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００４８】
本実施の形態では、第１の筆記体２と第２の筆記体３とをキャップ部２３を介して連結し、両端に露出する二つのペン先側（即ち、第１の筆記体２の第１のペン先２１側、第２の筆記体３の第２のペン先３１側、及び第３の筆記体４の第３のペン先３４側の中の２つのペン先側）に第１のキャップ６と第２のキャップ７を装着した状態にする。それにより、１本の熱変色性筆記具１を構成できる。
【００４９】
＜第３の実施の形態＞
本発明の熱変色性筆記具１の第３の実施の形態を図３に示す。
本実施の形態の熱変色性筆記具１は、第１の筆記体２と、第２の筆記体３と、第１のキャップ６と、第２のキャップ７とからなる。
【００５０】
前記第１の筆記体２は、前端に第１のペン先２１が取り付けられ、内部に第１の熱変色性インキ２２が収容される。前記第１の熱変色性インキ２２が前記第１のペン先２１から吐出可能に構成される。前記第１の筆記体２の後部には、キャップ部２３が形成される。前記第１の筆記体２のキャップ部２３は、第１のキャップ６の頂部、第２のキャップ７の頂部、及び第２の筆記体３の第２のペン先３１側に装着可能である。前記第１の筆記体２のキャップ部２３を第２の筆記体３の第２のペン先３１側に装着することにより、第２のペン先３１が密封される。
【００５１】
前記第２の筆記体３は、前端に第２のペン先３１が取り付けられ、内部に第２の熱変色性インキ３２が収容される。前記第２の熱変色性インキ３２が前記第２のペン先３１から吐出可能に構成される。前記第２の筆記体３の後部には、キャップ部３３が形成される。前記第２の筆記体３のキャップ部３３は、第１のキャップ６の頂部、第２のキャップ７の頂部、及び第１の筆記体２の第１のペン先２１側に装着可能である。前記第２の筆記体３のキャップ部３３を第１の筆記体２の第１のペン先２１側に装着することにより、第１のペン先２１が密封される。
【００５２】
前記第１のキャップ６は、第１の筆記体２の第１のペン先２１側、第２の筆記体３の第２のペン先３１側に装着可能である。前記第１のキャップ６を第１の筆記体２の第１のペン先２１側に装着することにより、第１のペン先２１が密封される。前記第１のキャップ６を第２の筆記体３の第２のペン先３１側に装着することにより、第２のペン先３１が密封される。
【００５３】
前記第１のキャップ６に頂部には、軟質材料（例えば、ＳＢＳ樹脂、ＳＥＢＳ樹脂）よりなる摩擦部６１が取り付けられる。尚、前記摩擦部６１は、第１のキャップ６と２色成形により一体に形成することもできる。
【００５４】
前記第１のキャップ６の頂部外周面には、連結部６２が設けられる。前記第１のキャップ６の連結部６２に、第１の筆記体２のキャップ部２３、第２の筆記体３のキャップ部３３、及び第２のキャップ７が装着可能である。
【００５５】
前記第２のキャップ７は、第１の筆記体２の第１のペン先２１側、第２の筆記体３の第２のペン先３１側に装着可能である。前記第２のキャップ７を第１の筆記体２の第１のペン先２１側に装着することにより、第１のペン先２１が密封される。前記第２のキャップ７を第２の筆記体３の第２のペン先３１側に装着することにより、第２のペン先３１が密封される。
【００５６】
前記第２のキャップ７に頂部には、軟質材料（例えば、ＳＢＳ樹脂、ＳＥＢＳ樹脂）よりなる摩擦部７１が取り付けられる。尚、前記摩擦部７１は、第２のキャップ７と２色成形により一体に形成することもできる。
【００５７】
前記第２のキャップ７の頂部外周面には、連結部７２が設けられる。前記第２のキャップ７の連結部７２に、第１の筆記体２のキャップ部２３、第２の筆記体３のキャップ部３３、及び第１のキャップ６が装着可能である。
【００５８】
前記第１の熱変色性インキ２２及び前記第２の熱変色性インキ３２は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００５９】
本実施の形態では、第１のキャップ６を、第１の筆記体２または第２の筆記体３の一方に装着し、第２のキャップ７を第１の筆記体２または第２の筆記体３の他方に装着し、第１のキャップ６または第２のキャップ７介して第１の筆記体２と第２の筆記体３とを連結した状態にする。それにより、１本の熱変色性筆記具１を構成できる。
【図面の簡単な説明】
【００６０】
【図１】本発明の第１の実施の形態の縦断面図である。
【図２】本発明の第２の実施の形態の縦断面図である。
【図３】本発明の第３の実施の形態の縦断面図である。
【図４】可逆熱変色性組成物の変色挙動を示す説明図である。
【符号の説明】
【００６１】
１  熱変色性筆記具
２  第１の筆記体
２１  第１のペン先
２２  第１の熱変色性インキ
２３  キャップ部
３  第２の筆記体
３１  第２のペン先
３２  第２の熱変色性インキ
３３  キャップ部
３４  第３のペン先
３５  第３の熱変色性インキ
４  第３の筆記体
４１  第３のペン先
４２  第３の熱変色性インキ
４３  キャップ部
５  キャップ
５１  摩擦部
６  第１のキャップ
６１  摩擦部
６２  連結部
７  第２のキャップ
７１  摩擦部
７２  連結部
【図１】
2008296413.tif 000003
【図２】
2008296413.tif 000004
【図３】
2008296413.tif 000005
【図４】
2008296413.tif 000006